(57)【要約】【課題】デジタル写真に対して位置情報及びスコア情報を付与して、これら情報に基づいてスライドショーデータの生成を行うことができる静止画処理装置を提供する。【解決手段】静止画処理装置１００は、読み込み及び記録を行うＲ／Ｗ部１０１、デジタル写真データの管理を行う画像管理部１０２、現在位置を判定する位置判定部１０５、現在時刻の検出を行う時計部１０６、写真データが蓄積される蓄積部１０７、デジタル写真データの選択を行う選択部１０８、スライドショーデータの生成を行うスライドショー生成部１０９、生成されたスライドショーデータを表示部１３０に出力する出力部１１０を備える。前記画像管理部１０２は、写真データに位置情報の付与を行う位置情報付与部１０３、及び位置情報を用いて各デジタル写真データのスコア情報の生成を行うスコア生成部１０４を備える。【選択図】  図１
2005006125.tif 000002
【特許請求の範囲】
【請求項１】
時刻データが付与された写真データを取得して記録を行う静止画処理装置であって、
当該静止画処理装置の現在の位置を取得する位置取得手段と、
現在時刻の取得を行う時刻取得手段と、
前記写真データに位置情報が付与されていない場合においては前記位置取得手段において取得した位置情報を付与する位置付与手段と、
前記時刻データと前記時刻取得手段において取得した現在時間とを比較して前記写真データの前記位置情報の正確さを示すスコア情報を生成するスコア生成手段と、
前記スコア情報及び前記位置情報が付与された写真データを蓄積する蓄積手段とを備え、
前記スコア情報はスライドショーの構成を定める基準となる情報である
ことを特徴とする静止画処理装置。
【請求項２】
前記スコア生成手段は、前記時間取得手段から取得する現在時間と前記写真データに付与されている前記時刻データとを比較して、前記現在時間に近い写真データに対しては高いスコア情報を与え、前記現在時間から離れている写真データに対しては低いスコア情報を与える
ことを特徴とする請求項１記載の静止画処理装置。
【請求項３】
前記静止画処理装置は、さらに、
前記位置情報又は前記スコア生成手段において生成されたスコア情報の少なくとも１つを用いて前記写真データのスライドショーデータの生成を行うスライドショー生成手段と、
前記スライドショー生成手段において生成されたスライドショーデータを出力する出力手段と
を備えることを特徴とする請求項１記載の静止画処理装置。
【請求項４】
前記スライドショー生成手段は、高い前記スコア情報が付与されている写真データに対しては長い時間、大きく表示し、又は遅く動かすようにスライドショーデータの生成を行う
ことを特徴とする請求項３記載の静止画処理装置。
【請求項５】
前記静止画処理装置は、さらに、
前記蓄積手段に蓄積された前記写真データから前記スライドショー生成手段においてスライドショーデータとして用いられる写真データを選択する選択手段を備え、
前記スライドショー生成手段は、前記選択手段において選択された前記写真データに基づいてスライドショーデータの生成を行う
ことを特徴とする請求項３記載の静止画処理装置。
【請求項６】
前記選択手段は、前記位置情報、前記スコア情報、又はユーザからの入力情報の少なくとも１つを用いて前記写真データの選択を行う
ことを特徴とする請求項５記載の静止画処理装置。
【請求項７】
前記スライドショー生成手段は、前記位置情報又は前記スコア生成手段における前記スコア情報の少なくとも１つを用いて前記写真データに対して視覚効果を与えてスライドショーデータの生成を行う
ことを特徴とする請求項３記載の静止画処理装置。
【請求項８】
前記視覚効果は、拡大、縮小、スライド、回転、明暗変化、色変化、及びコンピュータグラフィックスの合成のいずれか又はこれらの組み合わせである
ことを特徴とする請求項７記載の静止画処理装置。
【請求項９】
前記視覚効果は、前記写真データに対応する写真と地図とを並べる、半透明に重ねる、交互に表示する、及び前記写真を進行方向に動かすのいずれか又はこれらの組み合わせである
ことを特徴とする請求項７記載の静止画処理装置。
【請求項１０】
前記静止画処理処置において読み出される前記写真データには、前記位置取得手段において取得された位置情報が書き込まれる位置情報フィールド、及び前記スコア生成手段によって生成されるスコア情報が書き込まれるスコア情報フィールドが含まれる
ことを特徴とする請求項１記載の静止画処理装置。
【請求項１１】
前記静止画処理装置は、さらに、
ネットワークを介して第２写真データの提供を行うサーバ装置と接続する接続手段を備え、
前記スライドショー生成手段は、前記接続手段が前記サーバ装置からダウンロードして取得する前記第２写真データを用いてスライドショーデータの生成を行う
ことを特徴とする請求項３記載の静止画処理装置。
【請求項１２】
前記静止画処理装置は、前記サーバ装置に記録されている前記第２写真データより検索条件に適した第２写真データの選択を行う第２選択手段を備え、
前記スライドショー生成手段は、前記第２選択手段において選択された前記第２写真データを用いてスライドショーデータの生成を行う
ことを特徴とする請求項１１記載の静止画処理装置。
【請求項１３】
前記静止画処理装置は、さらに、
地図情報を記録する地図情報記録手段と、
前記位置取得手段から取得する位置情報を用いて前記地図情報手段から地図情報の検索を行う検索手段と、
前記出力手段からのスライドショーデータと、前記検索手段における検索結果の地図情報と前記選択手段おいて選択された前記写真データとを表示する表示手段と
を備えることを特徴とする請求項３記載の静止画処理装置。
【請求項１４】
前記静止画処理装置は、さらに、
移動速度を検出する速度検出手段を備え、
前記表示手段は大きなメイン画面と小さなサブ画面を有し、前記速度検出手段において検出された前記移動速度が予め定められた閾値より高い場合には、前記メイン画面に地図情報を、前記サブ画面に写真を表示する一方、
前記速度検出手段において検出された前記移動速度が予め定められた閾値より低い場合には、前記メイン画面に写真を、前記サブ画面に地図情報を表示する
ことを特徴とする請求項１３記載の静止画処理装置。
【請求項１５】
前記静止画処理装置は、さらに、
前記デジタルスチルカメラと接続して前記写真データを取得するインターフェース手段と、
前記デジタルスチルカメラの充電を行う充電手段と
を備えることを特徴とする請求項１記載の静止画処理装置。
【請求項１６】
時刻データが付与された写真データを取得して記録を行う静止画処理方法であって、
現在の位置を取得する位置取得ステップと、
現在時刻の取得を行う時刻取得ステップと、
前記写真データに前記位置取得ステップにおいて取得した位置情報を付与する位置付与ステップと、
前記時刻データと前記時刻取得ステップにおいて取得した現在時間とを比較して前記写真データの前記位置情報の正確さを示すスコア情報を生成するスコア生成ステップと、
前記スコア情報及び前記位置情報が付与された写真データを蓄積する蓄積ステップとを含む
ことを特徴とする静止画処理方法。
【請求項１７】
時刻データが付与された写真データを取得して記録を行う静止画処理装置に用いられるプログラムであって、
当該静止画処理装置の現在の位置を取得する位置取得ステップと、
現在時刻の取得を行う時刻取得ステップと、
前記写真データに前記位置取得ステップにおいて取得した位置情報を付与する位置付与ステップと、
前記時刻データと前記時刻取得ステップにおいて取得した現在時間とを比較して前記写真データの前記位置情報の正確さを示すスコア情報を生成するスコア生成ステップと、
前記スコア情報及び前記位置情報が付与された写真データを蓄積する蓄積ステップとをコンピュータに実行させる
ことを特徴とするプログラム。
【請求項１８】
さらに、
前記スコア生成ステップにおいて判定されたスコア情報を用いて前記蓄積ステップに記録されている前記写真データのスライドショーデータの生成を行うスライドショー生成ステップと、
前記スライドショー生成ステップにおいて生成されたスライドショーデータを出力する出力ステップとをコンピュータに実行させる
ことを特徴とする請求項１７記載のプログラム。
【請求項１９】
写真データが記録される記録媒体であって、
前記写真データには、位置情報が書き込まれる位置情報フィールド、及び前記写真データの位置情報の正確さを示すスコア情報が書き込まれるスコア情報フィールドが含まれる
ことを特徴とする記録媒体。
【発明の詳細な説明】
【０００１】
【発明の属する技術分野】
本発明は、デジタル写真データの処理を行う静止画処理装置に関し、特に地図表示機能をも有する静止画処理装置に関する。
【０００２】
【従来の技術】
従来、静止画を連続的に再生する方法として、一定時間間隔毎に逐次表示していくスライドショーという表示方法があり、例えばフォトシネマ、ムービーシアター等のＰＣソフト、カメラ付携帯電話機などで実現されている。
【０００３】
ここで、スライドショーとは、スライド映写機と同様に一定時間間隔、或いはユーザの指示等のトリガーによって表示するデジタル静止画を切り替えていく、いわゆるデジタルな紙芝居である。アプリケーションによってはＢＧＭを付加したりデジタル静止画の切り替えの際にフェード、ワイプ、回転等のトランジションを付加し、よりエンターテインメント性を向上させたものもある。
【０００４】
そして、このスライドショーをナビゲーション装置と結びつけた発明が開示されている（例えば、特許文献１参照）。図１２はこの従来のＭＤナビゲータ１２００の構成図である。
記録媒体であるＭＤ１２０３には、予めＭＤエディタ１２０４においてネットワーク等よりダウンロードした旅行先の地図、観光地の写真、時刻表等が記録されている。そして、例えば旅行等において、ユーザはＭＤ１２０３及び携帯用のＭＤナビゲータ１２００を用いて地図情報、写真データ等をスライドショー的に連続表示する機能を有する。
【０００５】
また、ＭＤナビゲータ１２００はカメラにより撮影した写真を記録して時系列的に並べると共に、行動中にＧＰＳ受信機１２０１により記録した地名がある場所と時間を写真と対応づけて、利用者の旅行中の行動記録等を容易にする。
【０００６】
【特許文献１】
特開平９−５０８９号公報
【０００７】
【発明が解決しようとする課題】
上述のように、携帯用のＭＤナビゲータ１２００は写真データを用いて行動記録に基づいたスライドショーを行うが、これは個人のメモ録音、地名等をデジタル写真と同時にスライドショー的に再生するものであり、表示されるのはデジタル写真の連続表示となる。
【０００８】
また、上述のＭＤナビゲータ１２００におけるスライドショーの再生は、デジタル写真と行動記録の関連付けは時間情報だけによるものとなり、多彩なスライドショーを行うものではない。
ところで、日本国内のカメラ市場において、デジタルスチルカメラの出荷数が銀塩カメラの出荷数を超え、今後さらにその格差が拡がると予測される。また、携帯電話にもカメラ機能が装備され、ユーザの多くは大量のデジタル静止画を保有している。そして、現時点においては、撮影されるデジタル画像はパソコンにおいて再生する使用方法が通常である。このため、近年のデジタルスチルカメラの普及に伴い、デジタル写真データの多様化した利用方法が望まれ、例えば、車に搭載されるナビゲーション装置でもデジタル写真の視聴ニーズは高まっている。その際、単にデジタル写真を連続表示するだけではユーザにとって面白さを感じるものではなく、デジタル写真の視聴においては、エンターテインメント性の高い表示方法が望まれている。
【０００９】
そこで、本発明は前記の事情に鑑みてなされたものであり、デジタルスチルカメラ等において撮影された写真データに新規な情報を付与して、この情報に基づいてより多彩で正確なスライドショーデータを生成することができる静止画処理装置を提供することを目的とする。
【００１０】
また、前記スライドショーデータとナビゲーション機能による地図データとに基づいてより多彩な画面表示を行う静止画処理装置を提供することをも目的とする。
【００１１】
【課題を解決するための手段】
前記問題点を解決するために本発明に係る静止画処理装置は、時刻データが付与された写真データを取得して記録を行う静止画処理装置であって、当該静止画処理装置の現在の位置を取得する位置取得手段と、現在時刻の取得を行う時刻取得手段と、前記写真データに前記位置取得手段において取得した位置情報を付与する位置付与手段と、前記時刻データと前記時刻取得手段において取得した現在時間とを比較して前記写真データの位置情報の正確さを示すスコア情報を生成するスコア生成手段と、前記スコア情報及び前記位置情報が付与された写真データを蓄積する蓄積手段とを備え、前記スコア情報はスライドショーの構成を定める基準となる情報であることを特徴とする。
【００１２】
従って、デジタルスチルカメラ１２０で撮影した写真データに対して位置情報及びスコア情報を付与して蓄積部において蓄積することが可能となり、旅行等の移動時に活用されるナビゲーション装置等の静止画処理装置としての特性を利用できる。
【００１３】
また、本発明に係る静止画処理装置は、さらに、前記スコア生成手段において判定されたスコア情報を用いて前記蓄積手段に記録されている前記写真データのスライドショーデータの生成を行うスライドショー生成手段と、前記スライドショー生成手段において生成されたスライドショーデータをモニタに出力する出力手段とを備えることを特徴とする。
【００１４】
このため、スライドショー生成部は、時間情報、位置情報以外に位置情報の正確性を示すスコア情報を用いてより多彩で正確なスライドショーの再生を行うことができる。
さらに、前記静止画処理装置は、さらに、地図情報を記録する地図情報記録手段と、前記位置取得手段から取得する位置情報を用いて前記地図情報手段から地図情報の検索を行う検索手段と、前記出力手段からのスライドショーデータと、前記検索手段における検索結果の地図情報と前記選択手段おいて選択された前記写真データとを表示する表示手段とを備えることを特徴とする。
【００１５】
従って、地図情報とデジタル写真とを結びつけた画像表示が可能となり、カーナビゲーション装置においてもエンターテインメント性の高いデジタル写真の視聴が可能となる。
尚、本発明は、上述のような静止画処理装置として実現できるのみではなく、この静止画処理装置が備える手段をステップとする静止画処理方法、また、当該静止画処理方法をコンピュータ等で実現させるプログラムとして実現したり、当該プログラムをＤＶＤ、ＣＤ−ＲＯＭ等の記録媒体や通信ネットワーク等の伝送媒体を介して流通させることができるのは言うまでもない。
【００１６】
【発明の実施の形態】
以下、本発明に係る静止画処理装置について図面を用いて説明を行う。尚、本発明において静止画処理装置は、例えばカーナビゲーション装置、ＤＶＤレコーダ等である。
【００１７】
（実施の形態１）
以下、本発明の実施の形態１の静止画処理装置１００について説明する。尚、本発明は移動手段の車にカーナビゲーション装置等の位置判定部１０５を有する静止画処理装置１００が備えられている場合、旅行過程でユーザがデジタルスチルカメラで撮影した写真データに対して適宜位置情報付与部１０３により位置情報、及びスコア生成部において生成され位置情報の正確性を示すスコア情報が付与されることにより、スライドショー生成部１０９においてスライドショーの再生を行うに際して、以前のように時間情報以外に位置情報、スコア情報を用いてより多彩で正確なスライドショーを実現できることを特徴とする。
【００１８】
図１は、本実施の形態１に係る静止画処理装置１００の構成を示すブロック図である。静止画処理装置１００は、カードスロットを備えてメモリカード１２２の読み込み及びメモリカード１２２への記録を行うＲ／Ｗ部１０１、デジタル写真データの管理を行う画像管理部１０２、衛星からの電波に基づいて車両の位置を検出するＧＰＳ情報、携帯・ＰＨＳの基地局情報、ホットスポットの位置情報等を用いて現在位置を判定する位置判定部１０５、現在時刻の検出を行うと共に現在時間を画像管理部１０２に渡す時計部１０６、ハードディスク装置、半導体メモリ、光ディスク等であり写真データが蓄積される蓄積部１０７、蓄積部１０７に蓄積されているデジタル写真データの選択を行う選択部１０８、蓄積部１０７に記録されている写真データを用いてスライドショーに用いるスライドショーデータの生成を行うスライドショー生成部１０９、生成されたスライドショーデータの出力を液晶モニタ等の表示部１３０に対して行う出力部１１０を備える。
【００１９】
尚、本実施の形態１において、スライドショーとは、デジタルならではの楽しさを提供するために入力された静止画から作成される映画のような短編の映像である。近年フォトシネマ等のスライドショーを生成するアプリケーションが開発され、素材となる静止画、ＢＧＭ音楽、スタイルセット等をユーザが選択するだけでショートフィルムを自動的に生成することができる。このアプリケーションによって生成されるスライドショーは、静止画に動画のような動きが与えられ、デジタル静止画を使った新しいエンターテインメントとなる。
【００２０】
本実施の形態１に係る画像管理部１０２は、Ｒ／Ｗ部１０１において読み出した写真データに位置情報の付与を行う位置情報付与部１０３、及び時間情報を用いて各デジタル写真データのスコア生成を行うスコア生成部１０４を備えている。ここで、スコア情報とは写真データの位置情報の正確さを示す情報であり、例えば百分率においては「１００」を正確さの最高値とし、「０」を正確さの最低値とする。
【００２１】
デジタルスチルカメラ１２０は、静止画処理装置１００の接続機器であり、静止画処理装置１００に読み込まれる写真データが撮影されメモリカード１２２に記録される。また、デジタルスチルカメラ１２０には現在時刻を示すと共に撮影される写真データに時間データの付与を行う時間管理部１２１が内蔵されているものとする。尚、本実施の形態１においてはデジタルスチルカメラ１２０側にＧＰＳ等の位置判定部が備わっていないものとする。
【００２２】
表示部１３０は、出力部１１０より出力されたスライドショーデータよりスライドショーの生成を行う液晶モニタ等の画面であり、静止画処理装置１００と一体的に設けたり、若しくは別個の接続部とすることも可能となる。
図２は、本実施の形態１に係る静止画処理装置１００の画像管理部１０２において管理されるデジタル写真データ２００のデータ構成図である。
【００２３】
デジタル写真データ２００は、時間情報等の付加的な情報を付与する付加情報フィールド２０１、及びデジタルスチルカメラ１２０において記録された写真データ２０２ａそのものが記録される写真データフィールド２０２から構成される。
【００２４】
そして、付加情報フィールド２０１には、デジタルスチルカメラ１２０の時間管理部１２１において撮影時刻に関する情報が付与される時刻フィールド２０１ａと、静止画処理装置１００の位置情報付与部１０３において撮影場所に関する情報を示す位置情報が付与される位置フィールド２０１ｂと、スコア生成部１０４において時間情報を用いて位置フィールド２０１ｂの確からしさを示すスコア情報が付与されるスコアフィールド２０１ｃとが含まれる。
【００２５】
尚、これらの情報はデジタルスチルカメラ１２０側における撮影時に書き込むことも考え得る。すなわち、デジタルスチルカメラ１２０が時間管理部１２１と位置判定部（図示せず）とを備える場合においては、デジタル写真の撮影時において該当する情報を時刻フィールド２０１ａ及び位置フィールド２０１ｂに書き込み、同時にスコアフィールドに場所情報が正しいことを示す「１００」を書き込む。
【００２６】
以上のように構成された静止画処理装置１００の位置情報及びスコア情報の付与における動作手順を図３に示すフローチャートを用いて説明する。
まず、静止画処理装置１００における写真データの記録時においては、デジタルスチルカメラ１２０と静止画処理装置１００との間で、デジタル写真データはメモリカード１２２にて受け渡され、Ｒ／Ｗ部１０１は、デジタル写真データをメモリカード１２２から読み出して、画像管理部１０２に渡す（Ｓ３０１）。
【００２７】
画像管理部１０２において、位置情報付与部１０３は、位置判定部１０５より取得した現在の位置情報をデジタル写真データの位置フィールド２０１ｂに記録する（Ｓ３０２）。尚、時刻フィールド２０１ａには時間情報が記録されるが、これは通常デジタルスチルカメラを用いた写真データの撮影時に時間管理部１２１において記録される。
【００２８】
そして、スコア生成部１０４は、デジタル写真データに記録された時間情報及び位置情報を読み出してスコア情報の生成を行うと共に、スコアフィールド２０１ｃにスコア情報を記録する（Ｓ３０３）。尚、スコア情報の内容については後述する。また、画像管理部１０２は、位置情報とスコア情報とが付与されたデジタル写真データを蓄積部１０７に記録する（Ｓ３０４）。
【００２９】
ここで、スコア生成部１０４におけるスコア情報の生成についての説明を行うと、デジタル写真データを静止画処理装置１００に記録する際、画像管理部１０２は時刻フィールド２０１ａ及び位置フィールド２０１ｂを調べ、データが書き込まれている場合は、それらはそのままにしておき、スコア生成部１０４はスコアフィールド２０１ｃに位置情報が正しいというスコア情報を書き込む。例えば百分率で表す場合は「１００」をスコアフィールド２０１ｃに書き込む。
【００３０】
また、位置情報付与部１０３は、位置フィールド２０１ｂが空欄の場合は位置判定部１０５より取得した位置情報を位置フィールド２０１ｂに書き込む。この際、スコア生成部１０４は、入力されたデジタル写真の時刻フィールド２０１ａと時計部１０６から取得した現在時刻とを比較し、時間差に応じてスコアフィールド２０１ｃに位置情報の確からしさに関するスコア情報を書き込む。ここで、スコア生成部１０４は時刻差が少なければ大きい値、大きければ小さな値のスコア情報を書き込む。例えば百分率で表す場合、スコア生成部１０４は、前記時刻差が０分から５分の場合にはスコアフィールド２０１ｃに「９０」、時刻差が５分から１０分の場合にはスコアフィールド２０１ｃに「８０」、時刻差が１０分から２０分の場合には、スコアフィールド２０１ｃに「７０」、時刻差が２０分から３０分の場合にはスコアフィールド２０１ｃに「５０」、時刻差が３０分から６０分の場合にはスコアフィールド２０１ｃに「３０」、時刻差が６０分以上の場合にはスコアフィールド２０１ｃに「０」を書き込む。
【００３１】
そして、デジタルスチルカメラ１２０に位置判定部がない場合、静止画処理装置１００によって付加された位置情報はＲ／Ｗ部１０１においてメモリカード１２２内の元のデジタル写真データに記録される。これにより、蓄積部１０７内のデジタル写真が消去された場合でも、位置情報は元の画像と共にメモリカード１２２において保持できる。
【００３２】
尚、本実施の形態１においては、デジタルスチルカメラ１２０においてＧＰＳ等の位置判定部を有していないことを前提として説明しているが、携帯電話のように位置判定機能を有するデジタルスチルカメラに対しては、撮影時に位置情報を写真データに付加することにより、静止画処理装置１００において位置情報を付与することなくスライドショー生成部１０９において正確で多彩なスライドショーデータを生成できる。
【００３３】
また、位置フィールド２０１ｂは静止画処理装置１００のユーザが入力部を介してマニュアルで編集することも考え得る。すなわち、ユーザはマニュアル操作によって、実際に撮影した地図上の場所にデジタル写真を配置して、修正コマンド等をクリックすることで、位置情報付与部１０３は地図上の該当する場所に対応する位置情報に書き換えると共に、スコア生成部１０４は、スコア情報を「１００」に書き換える。
【００３４】
図４は、本実施の形態１に係る静止画処理装置１００のスライドショー生成部１０９における動作手順を示すフローチャートである。
まず、選択部１０８は、現在場所を条件として検索する場合においては、位置判定部１０５より現在位置を取得すると共に（Ｓ４０１）、取得した現在位置を（ｘ，ｙ）としてユーザ入力等により予め定められる検索範囲を（ｘ１〜ｘ２，ｙ１〜ｙ２）の範囲内で蓄積部１０７に蓄積されているデジタル写真データの検索を行い、検索条件に適した写真データの選択を行う（Ｓ４０２）。
【００３５】
次に、スライドショー生成部１０９は、選択部１０８において選択された写真データ２００を読み込んでの時刻フィールド２０１ａ、及び位置フィールド２０１ｂを読み出して、時刻情報と場所情報により写真データを順番に並べる（Ｓ４０３）。そして、スコアフィールド２０１ｃを読み込んでスコア情報の判定を行い同範囲の時刻条件、場所条件においてはスコア順に並び替えを行う（Ｓ４０４）。尚、同一スコアの場合においては現在位置に近い順に並べて表示を行う。
【００３６】
また、スライドショー生成部１０９は、写真データに付与されているスコア情報を用いてスコアの高いデジタル写真に対しては、じっくり視聴できる視覚効果を付与する。例えば、長い時間静止して表示する、大きく表示する、ゆっくり拡大、縮小、パンの動きを加える等である。逆にスコアの低い場合は少しだけ見せる視覚効果を与え、スコアが「０」のデジタル写真データはスライドショーを行う写真データの対象外とする。
【００３７】
尚、ここで視覚効果とは、写真データの切り替え時にフェードアウト、フェードイン、アルファブレンド等のトランジションの視覚効果であり、スライドショー生成部１０９は、表示中のデジタル写真に対して、拡大、縮小、スライド、回転、明暗変化、色変化などの動きのある視覚効果を与えることができ、さらに、ＣＧ（Ｃｏｍｐｕｔｅｒ  Ｇｒａｐｈｉｃｓ）キャラクタ、フレームと合成して表示することも可能である。
【００３８】
このように、デジタル写真データに多彩な視覚効果を与えることにより、ユーザに対してあたかも静止画の写真データが連続した動画であるかのような視覚効果を得ることができる。また、同時にユーザの選択した音楽（ＢＧＭ）をスライドショーに並行して付与することで、エンターテインメント性をさらに向上させて、単純な視聴とは異なるデジタル写真の多彩なスライドショーを可能とする。
【００３９】
以上述べてきた実施の形態１に係る静止画処理装置１００が位置情報付与部１０３を備えることにより、位置判定部を具備していないデジタルスチルカメラ１２０で撮影したデジタル写真に対して、位置情報の付加が可能となる。
このため、デジタルスチルカメラ１２０で撮影した写真データ２００に対して位置情報を付与して蓄積部１０７において蓄積することが可能となり、旅行等の移動時に活用されるナビゲーション装置等の静止画処理装置１００としての特性を利用することが可能となる。
【００４０】
また、スライドショー生成部１０９は、位置情報を用いてスライドショーデータの生成を行うことが可能となり、付加された位置情報は検索などの際に利用して、より正確なスライドショーを再生することが可能となる。
さらに、本実施の形態１に係る静止画処理装置１００が時刻情報に基づいて各デジタル写真データ２００に対してスコア情報の生成及び付与を行うスコア生成部１０４を備えることにより、スライドショー生成部１０９は、時間情報、位置情報以外に位置情報の正確性を示すスコア情報を用いてより多彩で正確なスライドショーの再生を行うことができ、今後飛躍的に増加するデジタル写真データの新たな利用方法とすることが可能となる。また、スコア情報をＰＣ等におけるデジタル写真の表示ソフトで使用し、例えば場所をキー情報として検索して、スコアの高い順に編集したスライドショーを再生することが可能となる。
【００４１】
ここで、静止画処理装置をデジタルスチルカメラ１２０の周辺装置５００とすることも考え得る。
図５はこのようなデジタルスチルカメラ１２０の周辺装置５００の一例の外観図である。周辺装置５００は図１に示す静止画処理装置１００と同様の機能である位置情報判定部及びスコア生成部を備える以外に、デジタルスチルカメラ１２０との接続部及び充電部５０１を備える。
【００４２】
このため、デジタルスチルカメラ１２０を周辺装置５００に接続することで、充電部５０１における充電と接続部におけるデジタル写真の転送を同時に行うことが可能となり、図１に示す静止画処理装置１００に比べてメモリカード１２２での写真データの受け渡しや、充電等のユーザ操作の手間を省くことが可能となる。尚、周辺装置５００は液晶で画像が表示できる表示部５０２を備えるようにしても良い。また、周辺装置の他の例としては位置情報を書き込むことが可能なホットステーションとすることができる。
【００４３】
（実施の形態２）
次に本発明の実施の形態２に係るナビゲーション装置６００について説明する。ナビゲーション装置６００はスライドショー生成部１０９を備え、地図情報を表示する通常のナビゲーション機能に加えて、デジタルスチルカメラ１２０等で撮影したデジタル写真に対して位置情報及びスコア情報を付与して多彩なスライドショーを前記地図情報と組み合わせて表示することを特徴とする。
【００４４】
図６は、本実施の形態２に係るナビゲーション装置６００の機能ブロック図である。上述した実施の形態１の静止画処理装置１００と異なる構成を説明すると、ナビゲーション装置６００は、ナビ本体部６０１及び外部インターフェース部６０３を備えている。尚、上述した実施の形態１に係る静止画処理装置１００と同様の構成については同じ番号を付し詳細な説明を省略する。
【００４５】
ナビ本体部６０１は、位置判定部１０５から現在位置を取得すると、地図情報部６０２に記録されている現在位置に対応する地図情報を取得して出力部１１０に送信する。
外部インターフェース部６０３は、ネットワークを介してサーバ装置６０４に接続される。また、このネットワークへの接続はユーザ指示又はユーザ設定において実行される。サーバ装置６０４は各種の地図情報及び各場所に関連したデジタル写真データを保持している。
【００４６】
以上のように構成されたナビゲーション装置６００における動作を説明する。
図７は、本実施の形態２に係るナビゲーション装置６００の表示部１３０に地図情報と共にデジタル写真を表示する際の動作手順を示すフローチャートである。尚、蓄積部１０７には、少なくとも位置情報付与部１０３において位置情報、及びスコア生成部１０４においてスコア情報が付与されたデジタル写真データ２００が格納される。
【００４７】
まず、選択部１０８は位置判定部１０５より現在位置を取得して（Ｓ７０１）、当該現在位置の情報に基づいて蓄積部１０７に記録されているデジタル写真データ２００を予め設定される検索範囲において検索する（Ｓ７０２）。
そして、選択部１０８は、蓄積部１０７に検索条件に該当する写真データがある場合においては、蓄積部１０７に記録されているデジタル写真データ２００から該当する画像を選択して読み出す。この場合、選択部１０８は位置判定部１０５の位置情報に基づき蓄積部１０７に蓄積され現在位置に近い写真データ２００を選択することができる。
【００４８】
一方、選択部１０８は、検索対象のデジタル写真データ２００が蓄積部１０７にない場合においては、ネットワークを介してサーバ装置６０４よりデジタル写真データの取得を行うか否かの判定を行う（Ｓ７０４）。この判定は、「ネットワークへの接続を行いますか」等の表示を行ってユーザがリモコン等の入力部を介して選択しても良いし、予めネットワークに接続する設定としても良い。
【００４９】
そして、選択部１０８においてネットワークに接続すると判定する場合においては、選択部１０８より指示を受けた外部インターフェース部６０３は、位置判定部１０５から位置情報を取得すると共に当該位置情報をサーバ装置６０４に送信して位置情報に該当する写真データをサーバ装置６０４からダウンロードして取得する（Ｓ７０５）。この写真データは、例えば、ウェブ登録を行っているサーバ装置６０４が保持している旅行先の観光スポット「美術館」に関する写真データである。そして表示部１３０において選択された蓄積部１０７からの写真データ又はサーバ装置６０４からダウンロードした写真データを地図画面と組み合わせて表示する（Ｓ７０６）。
【００５０】
一方、現在位置に関連するデジタル写真データが蓄積部１０７に記録されている場合においては、選択部１０８はネットワークに接続するか否かの判定を行う（Ｓ７０３）。この判定は前記同様にユーザ入力又は自動設定とする。
そして、選択部１０８は、ネットワークに接続しない場合においては（Ｓ７０３でＮ）、蓄積部１０７より選択されたデジタル写真データの表示を行う（Ｓ７０６）。この場合の写真データの例としては、例えばユーザが以前の食事で撮影した「レストラン」でのデジタル写真等である。
【００５１】
一方、ネットワークに接続する場合には（Ｓ７０３でＹ）、サーバ装置６０４より写真データをダウンロードして取得する（Ｓ７０５）。そして表示部１３０において選択された写真又はダウンロードした写真データを地図画面と組み合わせて表示する（Ｓ７０６）。
【００５２】
次に本実施の形態２に係るナビゲーション装置６００におけるスライドショーデータの生成について説明を行う。
ナビ本体部６０１は位置判定部１０５から取得する位置情報に基づき、地図情報部６０２から地図情報を読み出して出力部１１０に送信する。
【００５３】
そして、スライドショー生成部１０９は、ナビ本体部６０１から地図情報を取得すると共に、選択部１０８において選択された蓄積部１０７に記録された写真データを取得して、これらの画像をもとにスライドショーデータを生成して、出力部１１０に渡す。
【００５４】
また、本実施の形態に係るスライドショー生成部１０９は、ネットワークを介したサーバ装置６０４からデジタル写真、ＣＧキャラクタ、フレーム等を取得しても良い。すなわち、外部インターフェース部６０３は、位置判定部１０５から位置情報を取得してネットワーク経由でサーバ装置６０４に送出する。そして、サーバ装置６０４は位置情報に整合したデジタル写真を選択し、ナビゲーション装置６００側に送り返す。ここで整合した写真とは、名所、名物、代表的な出身人物、行事などを撮影したもの、或いは店の写真、売り物、地図などをビジュアルに表現した広告情報でもよい。また、広告情報を利用した場合においては、ネットワーク使用料が割引になる、或いはクーポン券を発行して広告を出した店、設備が割引になるなどの特典を与えてもよい。そして、スライドショー生成部１０９はこれらを選択して現在位置にふさわしいスライドショーデータを生成する。
【００５５】
出力部１１０は、スライドショー生成部１０９において生成されたスライドショーと、ナビ本体部６０１から取得した地図情報を組み合わせて表示部１３０に対して出力する。尚、表示部１３０における表示方法は後述の図８及び図９において説明する。
【００５６】
さらに本実施の形態２に係るナビゲーション装置６００においては、デジタル写真に対して、現在位置に応じた視覚効果を与えることも可能である。例えば、予め蓄積部１０７にＣＧデータを記録しておき、スライドショー生成部１０９は写真データと現在位置にちなんだＣＧとの合成を行う。例えば、デジタル写真データを現在場所に関連したＣＧキャラクタであるご当地キャラと合成したり、現在位置が海岸に近ければ波をイメージしたフレームと合成する等が考え得る。
【００５７】
次に、本実施の形態２におけるナビゲーション装置６００においては、スライドショー生成部１０９は地図情報とデジタル写真とを組み合わせて表示部１３０に表示画像を表示する。図８は、地図とデジタル写真を同時に画面表示する場合の参考図である。
【００５８】
図８（ａ）に示すように、車は画面下から画面上に向かって走っている。図８（ａ）の表示画面８０１において、黒三角の現在地マーク８０１ｂに近い位置情報を持つデジタル写真８０１ａを現在地マーク８０１ｂの近くに表示する。例えば、現在位置近くに「お寺」がある場合においてはデジタル写真８０１ａには「お寺」の写真が表示される。その後、車の移動に伴い、現在地マーク８０１ｂが移動する場合においては、デジタル写真８０１ａも同程度に移動して表示しても良い。
【００５９】
さらにその後、図８（ｂ）に示す様に移動に伴い、画面８０２の中央の交差点付近に到達した時点で、選択部１０８は現在地マーク８０２ｂに近い位置情報を持つデジタル写真８０２ａを選択し、現在地マーク８０２ｂの近くに表示する。そして、ここではデジタル写真８０２ａは、蓄積部１０７に蓄積されて現在位置に近い「レストラン」で以前に食事したデジタル写真８０２ａが表示される。
【００６０】
また、図８（ｃ）に示すように、例えば目的地である山の近くに到達するような場合においては、画面８０３のデジタル写真８０３ａには、現在地マーク８０３ｂの近くに以前にハイキングした「山登り」の写真が自動的に表示されることとなる。その他に、図８においては、地図とデジタル写真を表示する方法として、これらを交互に表示する、半透明の合成をする等も考えられる。
【００６１】
図９は、本実施の形態２に係るナビゲーション装置６００の表示部１３０における他の画面表示例である。この表示部１３０は地図情報を表示するメイン画面９０１と写真データを表示するサブ画面９０２とを有する。
そして、ナビゲーション装置６００に移動速度を検出する速度検出部（図示せず）を設けて、検出される速度に基づいて画像表示を切り替えることが考え得る。この場合においては、速度検出部における検出速度が予め定められる閾値以下の場合においてはデジタルスチルカメラ写真をメイン画面９０１に表示して、地図情報をサブ画面９０２に表示することも考え得る。尚、ナビゲーション装置６００は自車の走行時においては地図情報の表示が義務付けられているため、このような画面表示の切換えは助手席やリアシートに備えられたナビゲーション装置６００において特に有効となる。
【００６２】
図１０は、本実施の形態２に係るナビゲーション装置６００における画面切り替えの動作手順を示すフローチャートである。
まず、ナビゲーション装置６００が備える速度検出部において速度の検出を行う（Ｓ１００１）。そして、検出された速度が閾値以上である場合においては（Ｓ１００２でＹ）、スライドショー生成部１０９は地図画面をメイン画面９０１に表示し（Ｓ１００４）、検出速度が閾値以下である場合においては（Ｓ１００２でＮ）、デジタル写真の表示を行うか否かの判定を行う。
【００６３】
そして、ユーザ入力等により選択部１０８においてデジタル写真の表示を行うと判定される場合においては（Ｓ１００３でＹ）、メイン画面９０１にデジタル写真の表示を行う（Ｓ１００５）。一方、選択部１０８においてデジタル写真の表示を行わないと判定する場合においては（Ｓ１００３でＮ）、地図画面のみの表示を行う（Ｓ１００４）。
【００６４】
さらに本実施の形態２に係るナビゲーション装置６００においては走行履歴テーブル１１０１を作成することで以下のことが可能となる。
図１１は、本実施の形態２に係るナビゲーション装置６００の走行履歴テーブル１１０１及び写真データ１１０２、１１０３、及び１１０４の説明図である。図１１（ａ）はナビゲーション装置６００の蓄積部１０７において記憶される走行履歴テーブル１１０１であり、また図１１（ｂ）は写真データ１１０２等に記録される情報を示す。
【００６５】
図１１（ａ）の走行履歴テーブル１１０１には時刻１０時から１２時まで２０分毎の位置が記録され、各々の位置を「ａ」から「ｇ」とする。尚、現在時刻を１２時と仮定する。
図１１（ｂ）は、１０時、１１時４０分、１１時５０分に撮影され、ナビゲーション装置６００の位置情報付与部１０３において位置情報及びスコア生成部１０４においてスコア情報が付与された写真データＡ，Ｂ，Ｃのデータ構成を示している。
【００６６】
位置情報付与部１０３は蓄積部１０７に記録されている走行履歴テーブル１１０１を参照して、写真データの時刻を参照することにより撮影時刻に対応した位置情報を位置フィールド２０１ｂに付与する。例えば、写真データ１１０２における時刻フィールド１１０２ａにはデジタルスチルカメラにおける撮影時において１０時と記録されているため、位置情報付与部１０３は走行履歴テーブル１１０１を参照して１０時における位置「ａ」を記録する。
【００６７】
スコア生成部１０４は、時刻フィールド２０１ａ及び位置フィールド２０１ｂを参照してスコア情報の生成を行う。尚、スコア生成においては時間差が少ないほど、また現在時刻に近いほどスコアを高くする。例えば、写真データ１１０３は時刻１１時４０分に対応する位置「ｆ」が走行履歴テーブル１１０１に記録され、現在時刻に近いためにスコア情報１１０３ａが「９０」と判定される。また、現在時刻１２時から２時間離れているが時刻に対応する位置が走行履歴テーブル１１０１に記録されている写真データ１１０２のスコア情報１１０２ａを「７０」、現在時間に近いが時刻１１時５０分に対応する位置が走行履歴テーブル１１０１に記録されていない写真データ１１０４においてはスコア情報１１０４ｃを「８０」として記録する。以上、各写真データへのスコア情報の付与により位置フィールドの確度が向上する。
【００６８】
さらに、走行履歴にあわせてデジタル写真を選択して、再生することが可能となる。すなわち走行履歴テーブル１１０１をもとに、デジタル写真Ａ、Ｂ、Ｃのそれぞれに位置「ａ」、位置「ｆ」、位置「ｇ」にちなんだ視覚効果を与えて順番に再生する。視覚効果は上述したような位置にちなんだ地図、ＣＧとの合成などである。これにより旅行記のようなイメージのスライドショーを実現することができる。
【００６９】
以上のように、本実施の形態２に係るナビゲーション装置６００は、写真データに位置情報やスコア情報の付与を行う画像管理部１０２と、地図情報の付与を行うナビ本体部６０１と、外部のサーバ装置６０４とネットワークを介して接続され写真データをダウンロードする外部インターフェース部６０３とを備える。
【００７０】
従って、表示部１３０にナビ本体部６０１から取得する地図情報とスライドショー生成部１０９において生成されたスライドショーとを組み合わせて表示を行うことができ、地図情報とデジタル写真とを結びつけた画像再生が可能となり、ナビゲーション装置６００においてもエンターテインメント性の高いデジタル写真の視聴が可能となる。また、デジタルスチルカメラの増大に伴い撮影したデジタル写真を手軽にかつ楽しくナビゲーション装置においても視聴することが可能となる。
【００７１】
また、ナビゲーション装置６００に表示される画面を速度等に応じて切り替えることにより、スライドショー機能と共にエンターテインメント性が高い表示機能を有するナビゲーション装置６００とすることが可能となる。
尚、本発明に係る静止画処理装置としては、カーナビゲーション装置等の車用に限定するわけではなく、自転車用、歩行者向けの携帯型のナビゲーション装置であっても良い。
【００７２】
また、本発明においては現在位置を基準として位置情報の付与を行ったが、これに限定される必要はない。すなわち現在位置に関わらず、ユーザが地図をクリックすることで、その位置に対応した位置情報を付与することも可能である。この場合、位置判定部の位置情報の代わりに、ユーザにクリックされた位置情報を位置判定部に供給すればよい。
【００７３】
【発明の効果】
以上のように、本発明に係る静止画処理装置は、デジタルスチルカメラ等で撮影した写真データに対して位置情報及びスコア情報を付与して蓄積部において蓄積することが可能となり、旅行等の移動時に活用されるナビゲーション装置等の静止画処理装置の特性を利用できる。
【００７４】
また、本発明に係る静止画処理装置のスライドショー生成部は、時間情報、位置情報、及びスコア情報を用いてより多彩で正確なスライドショーデータの生成を行うことができる。
さらに、本発明に係るナビゲーション装置は、地図情報とスライドショーにより表示されるデジタル写真とを結びつけた画像表示が可能となり、ナビゲーション装置のユーザはエンターテインメント性の高い視聴を行うことができる。
【図面の簡単な説明】
【図１】実施の形態１に係る静止画処理装置の構成を示すブロック図である。
【図２】実施の形態１に係る静止画処理装置の画像管理部において管理されるデジタル写真データのデータ構成図である。
【図３】実施の形態１に係る静止画処理装置の位置情報及びスコア情報の付与における動作手順を示すフローチャートである。
【図４】実施の形態１に係る静止画処理装置のスライドショー生成部における動作手順を示すフローチャートである。
【図５】デジタルスチルカメラの周辺装置の一例の外観図である。
【図６】実施の形態２に係るナビゲーション装置の機能ブロック図である。
【図７】実施の形態２に係るナビゲーション装置の表示部に地図情報と共にデジタル写真を表示する際の動作手順を示すフローチャートである。
【図８】地図とデジタル写真を同時に画面表示する場合の参考図である。
【図９】実施の形態２に係るナビゲーション装置の表示部における他の画面表示例である。
【図１０】実施の形態２に係るナビゲーション装置における画面切り替えの動作手順を示すフローチャートである。
【図１１】実施の形態２に係るナビゲーション装置の走行履歴テーブル及び写真データの説明図である。
【図１２】従来のナビゲーション装置の構成図である。
【符号の説明】
１００    静止画処理装置
１０１    Ｒ／Ｗ部
１０２    画像管理部
１０３    位置情報付与部
１０４    スコア生成部
１０５    位置判定部
１０６  時計部
１０７  蓄積部
１０８  選択部
１０９  スライドショー生成部
１１０  出力部
１２０  デジタルスチルカメラ
１２１  時間管理部
１２２  メモリカード
１３０  表示部
２００  写真データ
２０１  付加情報フィールド
２０１ａ  時刻フィールド
２０１ｂ  位置フィールド
２０１ｃ  スコアフィールド
２０２  写真データフィールド
２０２ａ  写真データ
５００  周辺機器
５０１  充電部
６０１  ナビ本体部
６０２  地図情報部
６０３  外部ネットワーク部
６０４  サーバ装置
１１０１  走行履歴テーブル
【図１】
2005006125.tif 000003
【図２】
2005006125.tif 000004
【図３】
2005006125.tif 000005
【図４】
2005006125.tif 000006
【図５】
2005006125.tif 000007
【図６】
2005006125.tif 000008
【図７】
2005006125.tif 000009
【図８】
2005006125.tif 000010
【図９】
2005006125.tif 000011
【図１０】
2005006125.tif 000012
【図１１】
2005006125.tif 000013
【図１２】
2005006125.tif 000014